(57)【要約】【課題】大容量ディスク記憶媒体に記録した映像番組等のコンテンツのタイトル等の管理を容易にし、またユーザのコンテンツ内容の編集に対応して管理情報の変更を可能とする。【解決手段】画像および音声が可変長符号で圧縮符号化されたデータファイルとして記録されたディスク記憶媒体の一定の領域にディスクに記録された映像番組等のコンテンツのタイトルファイル、内容を示す縮小画面ファイル（サムネイルインデクスファイル）、コンテンツのデータの位置情報等の管理情報をまとめて記録する。【選択図】　　図１
2004047064.tif 000002
【特許請求の範囲】
【請求項１】
画像およびまたは音声が可変長符号で圧縮符号化されたデータファイルとして記録されたディスク記憶媒体であって、
このディスク記憶媒体にはあらかじめ確保されたある一定の領域にファイル管理情報が記録されており、このファイル管理情報領域には、前記圧縮符号化された画像およびまたは音声データのストリームを管理するプログラム管理ファイルの位置情報を含むことを特徴とするディスク記憶媒体。
【請求項２】
複数のコンテンツが可変長符号により圧縮符号化されたデータファイルとして記録されたディスク記憶媒体であって、
このディスク記憶媒体にはあらかじめ確保されたある一定の領域にファイル管理情報が記録されており、このファイル管理情報領域には、前記複数のコンテンツのタイトルと、このタイトルに対応するコンテンツの概略情報がいずれに記録されているのかを示す位置情報とを含むことを特徴とするディスク記憶媒体。
【請求項３】
一つのカートリッジに収納される複数のディスク記憶媒体に記録された内容のファイル管理情報が一つのディスク記憶媒体のあらかじめ確保されたある一定の領域に記録された請求項１または２に記載のディスク記憶媒体。
【請求項４】
ディスク記憶媒体に記録された画像およびまたは音声データのファイルは、前記圧縮符号化された画像およびまたは音声データのストリームがブロック単位で記録されたデータファイル（ＭＶＦ）と、このデータファイルを管理するためのアドレス情報を含むマップファイル（ＭＡＰ）とから構成された請求項１ないし３のいずれかに記載のディスク記憶媒体。
【請求項５】
前記ファイル管理情報には、いずれのプログラム管理ファイルがいずれのデータファイルを参照しているかの関係を記述する相関管理ファイルを含み、画像およびまたは音声データが記録されたデータファイルを、消去あるいは結合する場合に、前記データファイルを参照する他のプログラム管理ファイルが存在するときには、先に他のプログラム管理ファイルの操作を行わない限り、消去あるいは結合することが禁止されることを特徴とする請求項１または４記　載のディスク記憶媒体。
【請求項６】
前記ファイル管理情報には、いずれのプログラム管理ファイルがいずれのデータファイルを参照しているかの関係を記述する相関管理ファイルを含み、
画像およびまたは音声が記録されたデータファイルを、消去あるいは結合する場合に、前記データファイルを参照する他のプログラム管理ファイルが存在するときには、消去あるいは結合により、変更された位置情報の更新を自動的に行い、前記他のプログラム管理ファイルの再構成を自動的に行うことを特徴とする請求項１または４記載のディスク記憶媒体。
【請求項７】
前記ファイル管理情報には、記録された各コンテンツごとに最後にアクセスの終了した画像または音声データファイルの位置を示すラストプレイファイルを含むことを特徴とする請求項１または４に記載のディスク記憶媒体。
【請求項８】
ディスク記憶媒体をディスク再生装置に挿入したときに、前記ディスク記憶媒体のあらかじめ確保されたある一定の領域に記録されているファイル管理情報を読出し、
このファイル管理情報内に記録されているコンテンツタイトルとともに前記コンテンツに対応する概略情報ファイルを読出してコンテンツタイトルと概略情報とを同時に表示させるディスク再生方法。
【請求項９】
ディスク記憶媒体をディスク再生装置に挿入したときに、前記ディスク記憶媒体のあらかじめ確保されたある一定の領域に記録されているファイル管理情報を読出す手段と、
この読出されたファイル管理情報内のコンテンツタイトルとともに、前記コンテンツに対応する概略情報ファイルを読出してコンテンツタイトルと概略情報とを同時に表示する手段と
を備えたディスク再生装置。
【請求項１０】
一つのカートリッジに複数枚のディスク記憶媒体が収納されたディスク記憶媒体を一括して装着可能な手段を備え、
この一つのカートリッジに収納された複数枚のディスク記憶媒体に記録された複数個のコンテンツのコンテンツタイトルおよび概略情報を一番目のディスク記憶媒体に一括して記録する手段と、この記録する手段により記録されたコンテンツタイトルおよび概略情報を同時に表示する手段を備えた請求項９記載のディスク再生装置。
【請求項１１】
ディスク記憶媒体に可変長符号を用いた圧縮符号化を行って画像およびまたは音声のコンテンツのデータファイルを記録する方法において、
前記データファイルの記録領域とは別のあらかじめ確保されたある一定の領域に記録されるファイル管理情報領域を設け、
このファイル管理情報領域に、記録されたコンテンツタイトルを記録するとともに、記録されたコンテンツの内容を概略情報として記録し、
前記コンテンツタイトルに対応する概略情報の位置情報を前記ファイル管理情報領域内に記録する
ことを特徴とするディスク記憶媒体の記録方法。
【請求項１２】
ディスク記憶媒体に可変長符号を用いた圧縮符号化を行って画像およびまたは音声のコンテンツのデータファイルを記録する方法において、
前記データファイルの記録領域とは別のあらかじめ確保されたある一定の領域に記録されるファイル管理情報領域を設け、
このファイル管理情報領域に、記録されたコンテンツタイトルを記録するとともに、記録されたコンテンツの内容を概略情報ファイル内に作成し、
前記コンテンツタイトルに対応するコンテンツの概略情報ファイル内の位置情報を前記ファイル管理情報領域内に記録する
ことを特徴とするディスク記憶媒体の記録方法。
【請求項１３】
ディスク記憶媒体に可変長符号を用いた圧縮符号化を行って画像およびまたは音声のコンテンツのデータファイルを記録する手段を備えたディスク記憶媒体の記録装置において、
前記データファイルの記録領域とは別のあらかじめ確保され　たある一定の領域に記録されるファイル管理情報領域が設けられ、
前記記録する手段は、前記ファイル管理情報領域に、記録されたコンテンツタイトルを記録するとともに、記録されたコンテンツの内容を概略情報として記録する手段と、前記コンテンツタイトルに対応する概略情報の位置情報を前記ファイル管理情報領域内に記録する手段とを含む
ことを特徴とするディスク記憶媒体の記録装置。
【請求項１４】
ディスク記憶媒体に可変長符号を用いた圧縮符号化を行って画像およびまたは音声のコンテンツのデータファイルを記録する手段を備えたディスク記憶媒体の記録装置において、
前記データファイルの記録領域とは別のあらかじめ確保されたある一定の領域に記録されるファイル管理情報領域が設けられ、
前記記録する手段は、前記ファイル管理情報領域に、記録されたコンテンツタイトルを記録するとともに、記録されたコンテンツの内容を概略情報ファイル内に作成する手段と、前記コンテンツタイトルに対応するコンテンツの概略情報ファイル内の位置情報を前記ファイル管理情報領域内に記録する手段とを含むことを特徴とするディスク記録媒体の記録装置。
【発明の詳細な説明】
【０００１】
【発明の属する技術分野】
本発明は、大容量ディスク記憶媒体での記録されたコンテンツの管理に利用する。本発明は、大容量光ディスク、光磁気ディスク等のディスク記憶媒体に、複数のコンテンツを記録あるいは録音した場合の記録内容の管理技術に関する。本発明は、一つのカートリッジに複数のディスク記憶媒体が収納されている場合、カートリッジ内のディスク記憶媒体に記録されたコンテンツの管理にも利用できる。
【０００２】
以下の説明ではディスク記憶媒体として光ディスクの例で説明するが、光ディスクに限られるものではなく、光磁気ディスク、磁気ディスクその他のディスク記憶媒体に本発明は適用できる。
【０００３】
【従来の技術】
大容量のディスク記憶媒体に、映像コンテンツ（または音楽コンテンツ）が記録されたものとしてＤＶＤ−ＲＯＭがある。しかし、このＤＶＤ−ＲＯＭは読出し専用に構成されたものなので、複数個の映像コンテンツが記録されていたとしても全体の管理情報を変更する必要はなく、利用者が１枚あるいは複数枚のディスク記憶媒体にまたがって複数個の映像コンテンツを記録することはない。
【０００４】
これに対して、１枚または複数枚のディスク記憶媒体に、複数個の映像コンテンツを記録できるような大容量の光ディスクが提案されている。
【０００５】
また、画像または音声を効率よく記録するためにさまざまな圧縮符号化技術が開発されている。静止画像の圧縮符号化方式としてＪＰＥＧ画像符号化方式、動画像の圧縮符号化方式としてＭＰＥＧ２画像符号化方式等が用いられており、音声信号の圧縮符号化方式として、ＭＰＥＧ音声符号化方式やドルビーＡＣ方式等が用いられている。
【０００６】
【発明が解決しようとする課題】
１枚のディスクで、複数個の映像コンテンツを利用者（ユーザ）がビデオテープのように記録することが可能な大容量の光ディスクを用いたとき、一つのディスク内に複数の映像コンテンツを記録することができる。このとき、利用者は、記録した映像コンテンツ（または音楽コンテンツ）のタイトルとその内容がインデックスとして一目で認識でき、統一して管理する管理情報がないとその管理が煩雑となる。
【０００７】
また、利用者自身が、記録再生を行うことが可能な大容量光ディスクでは、ビデオテープのように利用者自身が消去編集等を行うことができる。例えば、映像コンテンツを記録したときに、ＣＭの時間帯のみをカットしたいことがある。従来のビデオテープでは、そのＣＭの時間帯を消去するためには別のビデオテープに、ＣＭの時間帯を除いて再記録を行う必要がある。
【０００８】
これに対してディスク記憶媒体は、ランダムアクセス可能であるため、ＣＭ時間帯の削除を行い、コンテンツの続き画面の開始位置にジャンプするよう編集作業をすることで、ＣＭ時間帯のカットを行ったことを利用者に感じさせることなく再生動作ができるという、ディスク記憶媒体特有の編集が可能である。しかし、このような編集を行うためのファイル管理情報をどのような構成にして、どのように編集するかについての提案はない。
【０００９】
また、利用者自身がコンテンツ等の編集を行って映像や音楽を入れ替えることができ、消去だけでなく、結合も可能である。例えば、映像の背景の音楽部分をそっくり入れ替えるという操作が可能である。このような編集を行う場合に、その編集されたコンテンツをどのように管理するかについても提案はない。
【００１０】
また、１枚のディスク記憶媒体単位に記録／再生を行うのではなく、複数枚のディスク記憶媒体を一つのカートリッジに収納し、このカートリッジ単位で記録／再生を行うことが考えられる。また、複数個のコンテンツを記録することを考えるとカートリッジ単位の方が管理がし易い。しかし、一つのカートリッジ内の複数枚のディスク記憶媒体に記録された多数のコンテンツを管理する手法について提案はない。
【００１１】
また、カートリッジに複数のディスク記憶媒体を収納し、複数のディスク記憶媒体にまたがってコンテンツを記録するような場合にどのような管理を行うかについても提案はない。
【００１２】
本発明は、このような背景に行われたものであって、１枚または複数枚のディスク記憶媒体に記録された複数個のコンテンツの内容を示すタイトルを利用者が記録して管理できるディスク記憶媒体およびタイトル管理方法を提供することを目的とする。また本発明は、利用者が録画／録音したコンテンツに消去結合等の編集を施すことが可能なディスク記憶媒体およびその管理方法を提供することを目的とする。また本発明は、利用者がコンテンツを編集したときのファイルの管理方法を提供することを目的とする。また、本発明は、これらの管理方法およびディスク記憶媒体を用いる記録再生装置および記録再生方法を提案することを目的とする。
【００１３】
【課題を解決するための手段】
本発明では、ディスク記憶媒体に記録するデータのファイル構造として、管理情報をまとめてファイル管理情報としてあらかじめ確保された固定の領域に記録しておく。このファイル管理情報としては、記録されたコンテンツタイトルと、どのようなコンテンツであるかを示す属性情報のオブジェクトタイプ、データ記録の開始日時情報、終了情報等の記録に関する情報等のタイトル管理ファイル、コンテンツの内容を示す概略情報ファイル、記録したデータファイルの編集に使用し、編集されたデータファイルの連結関係を表すプログラム管理ファイル（プログラムプレイバックチェイン、以下ＰＰＣファイルという）、データ記録の開始日時情報、終了情報等の記録に関する情報、データファイルを参照するプログラム管理ファイルとデータファイルとの参照関係を示す相関管理ファイル、最後にアクセスしたコンテンツ内の位置情報（いわゆるしおり機能）を示すラストプレイファイル等が格納される。
【００１４】
ここで、概略情報は、コンテンツの要約を表わす文字情報や、入力画像のフレームの縮小画像であるサムネイル画像等があげられるが、本発明では、以降、概略情報をサムネイルデータとして説明する。また、画像圧縮符号化方式は、ＭＰＥＧ２を用いるものとし、複数フレームを含む所定の処理単位はＧＯＰ単位（Ｇｒｏｕｐ　Ｏｆ　Ｐｉｃｔｕｒｅ）、フレーム内符号化画像はＩ−Ｐｉｃｔｕｒｅ　として説明する。
【００１５】
また、画像音声は、画像音声ファイルとして記録され、画像音声ファイルは、圧縮符号化された画像音声データファイル（Ｍｕｌｔｉ−ｍｅｄｉａ　Ｖｉｄｅｏ　Ｆｉｌｅ　、以下ＭＶＦファイルという）と、この画像／音声データのＭＶＦファイルを管理するためのマップファイル（ＭＡＰ）とから構成される。
【００１６】
このマップファイルは、ＧＯＰ単位毎に圧縮符号化されたＭＶＦファイルの先頭位置からのＥＣＣ（Ｅｒｒｏｒ　Ｃｏｒｒｅｃｔｉｏｎ　Ｃｏｄｅ）　ブロックアドレス、対象ＧＯＰのＥＣＣブロック数、対象ＧＯＰ内のＩ−Ｐｉｃｔｕｒｅ　のＥＣＣブロック数、対象ＧＯＰ内の再生を行う開始フレームおよび終了フレームの位置情報を持つ。このマップファイルにより、圧縮符号化された画像／音声データをＧＯＰ単位で管理することができる。また、対象ＧＯＰ内の音声データのＭＶＦファイル先頭位置からのＥＣＣブロックアドレスとＥＣＣブロック数の情報を持つことで、音声データのアフレコ編集を行うことができる。
【００１７】
ディスクのフォーマット時に、ディスクの先頭部分にファイル管理情報領域が生成される。ファイル管理情報は利用者が生成あるいは編集等により変更できる項目を含むので、一定のボリュームをファイル管理情報領域として確保する。
【００１８】
すなわち、本発明の第一の観点は、画像およびまたは音声が可変長符号で圧縮符号化されたデータファイルとして記録されたディスク記憶媒体であって、このディスク記憶媒体にはあらかじめ確保された特定の領域にファイル管理情報が記録されており、このファイル管理情報領域には、前記圧縮符号化された画像およびまたは音声データのストリームを管理するプログラム管理ファイルの位置情報を含むことを特徴とするディスク記憶媒体である。
【００１９】
また、複数のコンテンツが可変長符号により圧縮符号化されたデータファイルとして記録されたディスク記憶媒体であって、このディスク記憶媒体にはあらかじめ確保された特定の領域にファイル管理情報が記録されており、このファイル管理情報領域には、前記複数のコンテンツのタイトルと、このタイトルに対応するコンテンツの概略情報がいずれに記録されているのかを示す位置情報とを含むことを特徴とするディスク記憶媒体である。
【００２０】
このとき、一つのカートリッジに収納される複数のディスク記憶媒体に記録された内容のファイル管理情報が一つのディスク記憶媒体のあらかじめ確保された特定の領域に記録されることが望ましい。
【００２１】
これにより、１枚または複数枚のディスク記憶媒体に記録された複数のコンテンツの内容を示すタイトルを利用者が読出して管理できる。
【００２２】
また、ディスク記憶媒体に記録された画像およびまたは音声データのファイルは、記録された画像およびまたは音声が圧縮符号化されたデータのストリームがＥＣＣブロック単位で記録されたデータファイル（ＭＶＦファイル）と、このデータファイルを管理するための情報を含むＭＡＰファイルとから構成されることが望ましい。
【００２３】
このＭＡＰファイルは、圧縮符号化された画像およびまたは音声のＧＯＰ単位のＭＶＦファイルの先頭からのＥＣＣブロックアドレス、ＥＣＣブロック数、対象ＧＯＰ内のＩ−Ｐｉｃｔｕｒｅ　のＥＣＣブロック数、対象ＧＯＰ内の開始フレームならびに終了フレーム位置情報を含むことが望ましい。
【００２４】
さらに、前記ＰＰＣファイルは、参照するコンテンツの前記マップファイルの管理情報を含む、このＰＰＣファイルは、前記データファイルのＧＯＰ単位で編集可能に構成されることが望ましい。これにより、利用者が録画／録音したコンテンツに消去結合等の編集を施すことが可能となる。
【００２５】
前記ファイル管理情報には、いずれのＰＰＣファイルがいずれのデータファイルを参照しているかの関係を記述する相関管理ファイルを含み、画像およびまたは音声データを記録するファイルを消去あるいは結合する場合に、当該画像およびまたは音声データを記録するファイルを参照する他のプログラム管理ファイルが存在するときには、先に他のプログラム管理ファイルの操作を行わない限り消去あるいは結合することが禁止されることが望ましい。また、画像およびまたは音声が記録されたデータファイルを、消去あるいは結合する場合に、前記データファイルを参照する他のプログラム管理ファイルが存在するときには、消去あるいは結合により、変更された位置情報の更新を自動的に行い、前記他のプログラム管理ファイルの再構成を自動的に行うことが望ましい。これにより、誤ったデータの消去または結合を回避することができる。
【００２６】
前記ファイル管理情報には、光ディスクに記録されたコンテンツのうち最後に終了した画像または音声データファイルの位置を示すラストプレイファイルを含むことが望ましい。このような、いわゆるしおり機能により、利用者は、前回までアクセスしたデータの位置情報を簡単に得ることができる。
【００２７】
本発明の第二の観点は、ディスク記憶媒体をディスク再生装置に挿入したときに、前記ディスク記憶媒体のあらかじめ確保された特定の領域に記録されているファイル管理情報を読出し、このファイル管理情報内に記録されているコンテンツタイトルとともにコンテンツタイトルに対応する画像内容を示すサムネイルファイルを読出して、コンテンツタイトル名とサムネイル画像とを同時に表示させるディスク再生方法である。
【００２８】
本発明の第三の観点は、ディスク記憶媒体をディスク再生装置に挿入したときに、前記ディスク記憶媒体の特定の領域に記録されているファイル管理情報を読出す手段と、この読出されたファイル管理情報内のコンテンツタイトルとともにコンテンツタイトルに対応する画像内容を縮小画面として記録するサムネイルファイルを読出して、コンテンツタイトルとサムネイル画像とを同時に表示させる手段とを備えるディスク再生装置である。
【００２９】
このとき、一つのカートリッジに複数枚のディスク記憶媒体が収納されたディスク記憶媒体を一括して装着可能な手段を備え、この一つのカートリッジに収納された複数枚のディスク記憶媒体に記録されたコンテンツタイトルおよびそのサムネイル画像を同時に表示する手段を備えることが望ましい。
【００３０】
これにより、ディスク記憶媒体が複数に及ぶ場合でも、これらを一括して管理することができる。
【００３１】
本発明の第四の観点は、ディスク記憶媒体に圧縮符号化を行って映像コンテンツを記録する方法である。
【００３２】
ここで、本発明の特徴とするところは、ディスク記憶媒体に可変長符号を用いた圧縮符号化を行って画像およびまたは音声のコンテンツのデータファイルを記録する方法において、前記データファイルの記録領域とは別のあらかじめ確保された特定の領域に記録されるファイル管理情報領域を設け、このファイル管理情報領域に、記録されたコンテンツタイトルを記録するとともに、記録されたコンテンツの内容を概略情報として記録し、前記コンテンツタイトルに対応する概略情報の位置情報を前記ファイル管理情報領域内に記録するところにある。
【００３３】
また、ディスク記憶媒体に可変長符号を用いた圧縮符号化を行って画像およびまたは音声のコンテンツのデータファイルを記録する方法において、前記データファイルの記録領域とは別のあらかじめ確保された特定の領域に記録されるファイル管理情報領域を設け、このファイル管理情報領域に、記録されたコンテンツタイトルを記録するとともに、記録されたコンテンツの内容を概略情報ファイル内に作成し、前記コンテンツタイトルに対応するコンテンツの概略情報ファイル内の位置情報を前記ファイル管理領域内に記録するところにある。
【００３４】
本発明の第五の観点は、ディスク記憶媒体に圧縮符号化を行って映像情報を記録する手段を備えたディスク記憶媒体の記録装置である。
【００３５】
ここで、本発明の特徴とするところは、ディスク記憶媒体に可変長符号を用いた圧縮符号化を行って画像およびまたは音声のコンテンツのデータファイルを記録する手段を備えたディスク記憶媒体の記録装置において、前記データファイルの記録領域とは別のあらかじめ確保された特定の領域に記録されるファイル管理情報領域が設けられ、前記記録する手段は、前記ファイル管理情報領域に、記録されたコンテンツタイトルを記録するとともに、記録されたコンテンツの内容を概略情報として記録する手段と、前記コンテンツタイトルに対応する概略情報の位置情報を前記ファイル管理情報領域内に記録する手段とを含むところにある。
【００３６】
また、ディスク記憶媒体に可変長符号を用いた圧縮符号化を行って画像およびまたは音声のコンテンツのデータファイルを記録する手段を備えたディスク記憶媒体の記録装置において、前記データファイルの記録領域とは別のあらかじめ確保された特定の領域に記録されるファイル管理情報領域が設けられ、前記記録する手段は、前記ファイル管理情報領域に、記録されたコンテンツタイトルを記録するとともに、記録されたコンテンツの内容を概略情報ファイル内に作成する手段と、前記コンテンツタイトルに対応するコンテンツの概略情報ファイル内の位置情報を前記ファイル管理情報領域内に記録する手段とを含むところにある。
【００３７】
本発明の第六の観点は、ディスク記憶媒体に圧縮符号化された画像およびまたは音声データの複数フレームを含む所定の処理単位で、前記処理単位の位置情報およびブロック数、前記処理単位内のフレーム内符号化画像のブロック数、前記処理単位の開始フレーム位置と終了フレーム位置をマップファイルとして記録し、記録された画像およびまたは音声のデータファイルを編集することなく、任意の順序で画像およびまたは音声データの位置を指示するように、プログラム管理ファイルに格納し、このプログラム管理ファイルをディスク記憶媒体のファイル管理を行うファイル管理情報の記憶領域に格納した記憶情報の編集方法である。
【００３８】
本発明の第七の観点は、ディスク記憶媒体に圧縮符号化された画像およびまたは音声データの複数フレームを含む所定の処理単位で、前記処理単位の位置情報およびブロック数、前記処理単位内のフレーム内符号化画像のブロック数、前記処理単位の開始フレーム位置と終了フレーム位置をマップファイルとして記録し、記録された画像およびまたは音声のデータファイルを編集することなく、任意の順序で画像およびまたは音声データの位置を指示するように、プログラム管理ファイルに格納し、このプログラム管理ファイルをディスク記憶媒体のファイル管理を行うファイル管理情報の記憶領域に格納した記憶情報の編集方法である。
【００３９】
このとき、プログラム管理ファイルが参照する画像およびまたは音声データのファイルを示す相関管理ファイルを設け、画像およびまたは音声の消去を伴う画像およびまたは音声データの編集を行う場合に、編集しようとする画像およびまたは音声データのファイルを他のプログラム管理ファイルが参照している場合は、編集動作後、相関管理ファイルに基づき、編集されたＭＶＦファイルを参照しているプログラム管理ファイルの編集の再構成を行うか、前記他のプログラム管理ファイルの編集を前に行わせることが望ましい。また、プログラム管理ファイルが参照する画像およびまたは音声データのファイルを示す相関管理ファイルを設け、記録されたデータの消去を伴う編集を行う場合に、編集しようとする画像およびまたは音声データのファイルを他のプログラム管理ファイルが参照している場合は、消去あるいは結合により、変更された位置情報の更新を自動的に行い、前記他のプログラム管理ファイルの再構成を自動的に行うことが望ましい。
【００４０】
本発明の第八の観点は、ディスク記憶媒体に記録する画像およびまたは音声データを圧縮符号化する手段と、符号化された画像およびまたは音声データをコンテンツごとにデータファイルとして記録する手段と、記録された画像およびまたは音声データの複数フレームを含む所定の処理単位で、前記処理単位の位置情報およびブロック数、前記処理単位内のフレーム内符号化画像のブロック数を格納したマップファイルを作成する手段と、前記記録されたデータファイルを読出して復号する手段と、前記記録された画像および音声データの内容を表わすタイトル、記録時間のタイトル管理ファイル、コンテンツの内容のサムネイル画像を表わすサムネイルファイル、前記データファイルのストリームを管理するプログラム管理ファイルとをファイル管理情報として格納するメモリ手段と、編集指示を入力する入力手段とを備え、前記プログラム管理ファイルには、前記入力手段により入力された操作により前記データファイルの消去または結合を行った結果が、データファイルのＧＯＰ単位で格納されることを特徴とするディスク記憶媒体の記録編集装置である。
【００４１】
【発明の実施の形態】
以下図面を参照して本発明の実施の形態を説明する。
【００４２】
図１は、本発明の実施の形態の一例を示すディスク記憶媒体に設けられるファイル構造を示すものである。図２は、ルートディレクトリの構成を示す図である。図３は、管理ファイルディレクトリの構成を示す図である。図４は、ビデオファイルディレクトリの構成を示す図である。なお、以下の本発明の実施の形態では、ディスク記憶媒体に記録されるデータは、ＭＰＥＧ２画像符号化方式およびＭＰＥＧ音声符号化方式を用いて、圧縮符号化を行ったデータであるとして説明する。
【００４３】
図１に示されるルートディレクトリ１および管理ファイルディレクトリ２に記録されたファイルが、記録されたコンテンツを管理するファイル管理情報に相当する。このファイル管理情報は、ディスク記憶媒体の特定の領域に設けられる。この特定の領域はファイル管理情報を記録するための領域としてあらかじめ確保されており、また、利用者の記録および編集等によりファイル管理情報の容量は変動するため、一定の容量がディスクの初期化時に予め確保される。
【００４４】
ファイル管理情報は、ルートディレクトリ１と管理ファイルディレクトリ２とに分けられている。ルートディレクトリ１は、タイトル管理ファイル１１、サムネイルファイル１２、ＭＶＦ相関管理ファイル１３、ラストプレイファイル１４とから構成される。タイトル管理ファイル１１は、ディスクあるいはカートリッジ全体のコンテンツ管理を行うためのファイルである。このタイトル管理ファイル１１には、図２に示すように、ディスクのボリューム名、コンテンツタイトル、ディスク内のコンテンツの数を表わすＰＰＣファイルのファイル数、それぞれのＰＰＣファイルの位置情報と、オブジェクト属性情報、記録日時、記録時間、画像データの記録モード、音声データの記録モードおよびサムネイルのインデックス等の情報がタイトル管理ファイル１１に格納され管理される。
【００４５】
ここで、前記オブジェクト属性情報は、ＭＰＥＧ２動画像、ＭＰＥＧ音声、ドルビーＡＣ音声、ＪＰＥＧ静止画、非圧縮静止画データ等の種別を表わす情報であり、これはコンテンツの再生を行う場合、どのような再生処理を行うかを指示するためのものである。
【００４６】
また、前記サムネイルのインデックスは、サムネイルファイル１２内のデータ位置を指示するためのものである。
【００４７】
サムネイルファイル１２は、図２に示すように、ディスク記憶媒体を再生装置に挿入時にそれぞれのコンテンツタイトルとともに、コンテンツ内容が把握できるよう記録するためのもので、１００画素×７５ライン程度の縮小静止画像を記録する。
【００４８】
本実施例では、タイトル管理ファイル１１とサムネイルファイル１２とを分離して、タイトル管理ファイル１１内のサムネイルインデックスを用いてそれぞれのコンテンツのサムネイルをサムネイルファイル１２内に格納するようにしている。これは、サムネイルデータがＰＰＣファイルと比べて記録容量が大きいため、十分なメモリを搭載しない安価な記録再生装置で再生する場合、サムネイルファイル１２を読出さず、ＰＰＣファイルに記録されたタイトル情報を読出すことで、利用者にディスク記憶媒体に記録されたコンテンツ情報を知らせることができ、異なる仕様の記録再生機器との互換性を保つことができる。前述したような、複数種類の仕様を持たない場合、サムネイルファイル１２をタイトル管理ファイル１１内に格納して管理することも可能である。
【００４９】
ＭＶＦ相関管理ファイル１３は、図２に示すように、記録されたコンテンツの再生制御を行うＰＰＣファイルが参照するビデオファイルディレクトリ３に記録されたビデオデータの競合を調整するためのファイルであり、各ＰＰＣファイルが、ビデオファイルディレクトリ３内のＭＶＦファイル３１を参照しているかを記録する。これは、それぞれのＭＶＦファイルを参照しているＰＰＣファイルが記録されており、コンテンツの編集を行う際、例えば、あるＭＶＦファイル全体を消去しようとするとき、消去しようとしているＭＶＦファイルを参照しているＰＰＣファイルが存在する場合、消去できない旨を利用者に表示したり、ＭＶＦ消去により変更が必要なＰＰＣファイルのＧＯＰ情報の再構成を行う。
【００５０】
ラストプレイファイル１４は、図２に示すように、いわゆるしおり機能を果たすもので、利用者が最後に再生したＰＰＣファイル名およびＰＰＣファイルの最終再生ＧＯＰ位置情報、あるいはカートリッジで構成される場合、最後に再生したＰＰＣファイルのあるディスク番号等の情報が記録される。これは、テープ記憶媒体を利用した記録再生装置の場合、利用者が再生処理を中止あるいは、記録処理の終了後、巻戻さずにテープ記憶媒体を装置から取り出し、再び装置に挿入した場合、テープ記憶媒体は前回停止した位置で止まっているのに対し、ディスク記憶媒体は、物理的なヘッド停止位置を検出することができないため、最後に再生したコンテンツの位置をラストプレイファイル１４に記録することで、テープ記憶媒体を用いた記録再生装置と同様に、前回の続きから再生する機能を実現することができる。
【００５１】
ラストプレイファイル１４は、利用者が誤記録防止用に記録防止のノッチを設定している場合、ディスク記憶媒体にデータを記録することが禁止されているため、利用することはできないが、記録再生装置の内部に不揮発性メモリに、ディスク記憶媒体の固有ＩＤとラストプレイファイル１４の情報を記憶することで、同一の記録再生装置では、ラストプレイファイル１４と同等の機能を実現することができる。
【００５２】
また、ディスク記憶媒体がカートリッジに納められている場合、カートリッジ本体に不揮発性メモリを持たせ、ラストプレイファイル１４の情報を記憶することでも、ラストプレイファイル１４と同等の機能を実現することができる。
【００５３】
次に、管理ファイルディクトリ２のファイルについて説明する。管理ファイルディレクトリは、ＰＰＣファイル２１とサムネイルファイル２２とＭＡＰファイル３２とからなり、その配置はルートディレクトリと同じディスク記憶媒体に置いてもよいし、各ディスク記憶媒体に置いてもよい。
【００５４】
ＰＰＣファイル２１は、コンテンツのストリームを管理するもので、記録した映像コンテンツ等の編集再生に用いられる。このＰＰＣファイルは対象となるＭＶＦファイルをＧＯＰ単位で管理するもので、図３に示すように、対象となるＭＶＦファイルのファイルインデクスと対象ＧＯＰを特定するための対象ＧＯＰの位置情報となるＭＶＦファイルの先頭位置からのＥＣＣブロックアドレス、対象ＧＯＰのＥＣＣブロック数、対象ＧＯＰに含まれるＩ−Ｐｉｃｔｕｒｅ　のＥＣＣブロック数、対象ＧＯＰの開始フレーム位置および終了フレーム位置、対象ＧＯＰに含まれる音声データの開始オフセットアドレスとＥＣＣブロック数とがそれぞれ格納される。これにより、ＰＰＣファイルの情報に基づいて対象のコンテンツが格納されたＭＶＦファイルにアクセスしてコンテンツを再生できる。
【００５５】
サムネイルファイル２２は、図３に示すように、ＰＰＣファイルに対応するＭＶＦファイルのサムネイル画像を静止画像として格納するもので、ファイル構造はルートディレクトリ１のサムネイルファイル１２と同じである。
【００５６】
ＭＡＰファイル３２は、ＭＶＦファイル３１を管理するためのファイルであり、図４に示すように、ＭＶＦファイル３１の総ＧＯＰの数、それぞれのＧＯＰの管理情報を表す、対象ＧＯＰのＭＶＦファイルの先頭位置からのＥＣＣブロックアドレス、対象ＧＯＰのＥＣＣブロック数、対象ＧＯＰが持つＩ−Ｐｉｃｔｕｒｅ　のＥＣＣブロック数、対象ＧＯＰの再生開始フレームおよび終了フレーム位置の情報が格納される。例えば、ＧＯＰ内の画像フレーム数が１５の場合、開始フレーム位置は１、終了フレーム位置は１５という値が記録される。また、音声情報についても対象ＧＯＰ内の音声データの開始位置情報およびＥＣＣブロック数が格納される。この一つのＭＡＰファイル３２は、一つのＭＶＦファイル３１に対して設けられ、ＭＶＦファイル３１が作成されるとき（記録されるとき）に自動的に作成される。すなわち、あるコンテンツを記録するときにＭＶＦファイル３１が作成されると自動的にＧＯＰ毎の管理情報を取り込んでＭＡＰファイル３２が作成される。
【００５７】
次に、ビデオファイルディレクトリ３について説明する。
【００５８】
ＭＶＦファイル３１は、図４に示すように、記録された各コンテンツの映像または音声データが格納されるファイルで、例えば、映像音声信号がＭＰＥＧ２により圧縮されたデータが、ＧＯＰ単位でそれぞれ映像データ、音声データ毎にＥＣＣブロック単位でアライン（区切る）され記録される。ここで、１ＧＯＰを構成するフレーム数は、日本、米国等で放送されるＮＴＳＣ方式の場合、１秒当たりの画像フレーム数が２９．９７枚であるため、１５が良く用いられるが特に限定するものではない。特に、可変ＧＯＰ構造を持つ場合、シーンチェンジ等によりＧＯＰを構成するフレーム数は適応的に変化する。このＭＶＦファイルからの圧縮符号化されたデータを読出して、復号処理を行うことにより映像データおよび音声データが再生される。
【００５９】
図１６は、ＤＶＤ−ＲＯＭで用いられている圧縮データのデータ配置の一例を示すものである。図中でＶは圧縮画像データを、Ａは圧縮音声データを表している。データはセクタ単位（一般的に２ＫＢ）で記録されている。それに対し、本発明のＭＶＦファイルはＧＯＰデータ内で、圧縮画像データの後に圧縮音声データがＥＣＣブロック単位で配置されている。
【００６０】
例えば、音声データの差し替えを行う場合、ＤＶＤ−ＲＯＭで用いられるフォーマットでは音声データの位置の管理情報を持っておらず、また、データ配置にも規則性がないため、必要な部分の圧縮データ全てを順番に光ディスク５０から読出して、音声データ部分と判別したセクタ位置に新しく差し替える音声データを記録するという手段を必要とし、容易に音声データの差し替えを行うことができない。図１７は本発明の圧縮データのデータ配置の一例を示す図である。それに対し、図１７に示すように、本発明のデータ配置を持つＭＶＦファイルは、ＭＡＰファイル３２で音声データ位置を管理していることに加え、ＥＣＣブロック単位でデータ配置を行っているため、音声データを光ディスクから読出しを行うことなく差し替えを行うことができるという利点がある。
【００６１】
音声データの追加の場合、例えば、日本語２ｃｈで記録後、英語２ｃｈで記録する場合を考える。ここで、あらかじめ追加する音声データ領域は、記録時に確保されているものとする。ＤＶＤ−ＲＯＭのフォーマットでは、前述した音声データの差し替え同様、必要な部分の圧縮データを全て順番に読出さないと、音声データ部分を判別することができない。それに対し、本発明のデータ配置は、音声データ部分のみをＭＡＰファイルにしたがい、光ディスクから読出して、追加音声を予め確保した領域に記録するため、簡易に音声データの追加が可能である。
【００６２】
また、ＭＡＰファイル３２が、ＧＯＰの開始アドレスとＧＯＰ内のＩ−Ｐｉｃｔｕｒｅ　のＥＣＣブロック数を持つため、ファイルアドレスを知ることができるが、早見試写に必要なＩ−Ｐｉｃｔｕｒｅ　の領域が分からないため、圧縮データの復号化処理を行ってＩ−Ｐｉｃｔｕｒｅ　データの終了点を検出するか、圧縮データのヘッダ検出を行う必要があった。これに対し、本発明では、Ｉ−Ｐｉｃｔｕｒｅ　の開始アドレス（ＧＯＰの開始アドレスと同義）に加え、ＥＣＣブロック数をＧＯＰ情報を管理するＭＡＰファイル３２に格納しているため、復号化器やヘッダ検出を行うことなく、アドレスジャンプ、必要なブロック数のデータ読出し、復号化処理を連続的に行うことができるため、従来の早見試写より、さらに高速な早見試写を行うことができる。
【００６３】
図５は、一つのカートリッジが複数枚のディスク記憶媒体を含み、カートリッジ内のディスク記憶媒体は、利用者が取り出せない構造となっているとき、複数枚のディスク記憶媒体にまたがってコンテンツが記録されるときのファイルの配置例を示すものである。ディスク＃１には、コンテンツ＃１がＭＶＦファイル＃１として、コンテンツ＃２がＭＶＦファイル＃２として記録され、コンテンツ＃３の半分がＭＶＦファイル＃３−１として記録され、ディスク＃２にコンテンツ＃３の残りの半分がＭＶＦファイル＃３−２として記録された様子を示すものである。
【００６４】
この場合に、ルートディレクトリファイル１のファイル管理情報は、ディスク＃１の先頭の特定領域に格納されており、これらのファイル管理情報を用いてカートリッジ全体のコンテンツ管理を行い、ディスク＃１、＃２に記録された各コンテンツはディスク毎に置かれた管理ファイルディレクトリ２を用いて管理を行う。このように、複数枚のディスク記憶媒体を一つのカートリッジに収納した形態で再生または記録を行うことは、利用者にとって管理上便利であり、一つのカートリッジに収納された複数枚のディスク記憶媒体に記録された多数のコンテンツ管理を行うには、カートリッジを記録再生装置に挿入するとき、最初にロードされるディスク記憶媒体にルートディレクトリに置かれるファイル管理情報を記録することにより、複数枚のディスク記憶媒体に個々にルートディレクトリの管理情報を記録するより高速に利用者がカートリッジ全体のコンテンツを知ることができる。本発明は、以上詳述したように、複数枚のディスク記憶媒体に記録された多数のコンテンツを、あらかじめ定められた１枚のディスク記憶媒体に設けられるファイル管理情報で一括して管理できる点でもその利用価値は大きい。
【００６５】
次に、大容量光ディスクを用いた記録再生装置の構成例を図６に示して本発明の動作を説明する。
【００６６】
この記録再生装置は、光ディスク５０と、光ディスク装置４０と、チューナや他の記録再生機器等から入力される画像／音声データのＡ／Ｄ変換を行うアナログ入力Ｉ／Ｆ５２、ＭＰＥＧ２符号化方式を用いて画像データの圧縮符号化を行うＭＰＥＧ２画像符号化器４１と、ＭＰＥＧ音声符号化方式を用いて音声データの圧縮符号化を行うＭＰＥＧ音声符号化器５３、圧縮された画像／音声データを一つのストリームに構成する多重化器４８と、多重化されたデータや管理ファイルデータを光ディスク装置４０と入出力を行うディスクドライブＩ／Ｆ５１と、圧縮された画像／音声ストリームを分離する分離器４９と、圧縮された画像データを復号するＭＰＥＧ２画像復号化器４２と、圧縮された音声データを復号するＭＰＥＧ音声復号化器５４と、復号された画像／音声データをＤ／Ａ変換するアナログ出力Ｉ／Ｆ５５と、画像データを出力する表示器（ディスプレイ）４４と、音声データを出力する音声出力装置４３と、記録再生装置全体の制御を行う制御部４５と、制御プログラムやファイル管理情報等が格納されるメモリ部４６と、編集再生等の指示を入力する操作部４７とを備えた構成となっている。
【００６７】
ここで、多重化器４８は、圧縮された画像データと音声データとを１ＧＯＰ毎に、画像データと音声データがＥＣＣブロック単位でアラインされるようにデータを再配置し、ディスクドライブＩ／Ｆ５１にストリームとして出力すると同時に、ＧＯＰ毎のＥＣＣブロック数、Ｉ−Ｐｉｃｔｕｒｅ　のＥＣＣブロック数、音声データのＥＣＣオフセットアドレス、音声データのＥＣＣブロック数を、制御バスを通して制御部４５が管理するメモリ部４６に出力する。制御部４５は、多重化器４８からＧＯＰ毎に管理情報を受け取り、ＭＡＰファイル情報のための処理を行い、メモリ部４６を更新する。記録動作が終了すると、ＭＡＰファイル３２を管理ファイルディレクトリ２に出力する。ディスクドライブＩ／Ｆ５１は、光ディスク装置４０とＭＰＥＧ画像音声ストリームバスとコントロールバスに接続されており、データおよび制御を円滑に行うために内部にバッファメモリを備える。なお、図６に示す記録再生装置は一例を示したものであり、本発明のこのような記録再生装置の構成にかかわらず実現することができる。
【００６８】
次に、記録再生装置の全体的な動作を図７を参照して説明する。図７は本発明の記録再生装置の全体的な動作を示すフローチャートである。光ディスク装置４０に光ディスク５０が挿入されると、光ディスク装置４０は、その光ディスク５０が新しい光ディスクか否かを判定し、新しい光ディスクであれば初期化を行い、図１に示したルートディレクトリ１と管理ファイルディレクトリ２の領域の確保を行う。また、新しい光ディスクでなければ、タイトル管理ファイル１１、サムネイルファイル１２とラストプレイファイル１４の読み出しを行いメモリ部４６に格納し、表示器４４にメインメニューを表示する。
【００６９】
メインメニューは、光ディスク５０が新しい光ディスクでなければ、既に記録されているコンテンツタイトルとこれに対応するサムネイルが表示される。また、ラストプレイファイル１４から読出された前回終了時が再生の場合、再生の終了位置が、前回終了時が記録の場合、記録の開始位置が表示される。さらに、光ディスクの記録可能時間の情報も表示される。
【００７０】
これにより、記録再生装置は、操作部４７からの指示入力を受付けることができる状態になる。したがって、操作部４７からの再生指示、編集指示、記録指示の各入力に応じてそれぞれの動作を開始する。なお、操作部４７から光ディスク５０の取り出し指示が入力された場合には光ディスク５０の取り出しを行う。
【００７１】
次に、記録時の動作を説明する。
【００７２】
記録時には、装置内蔵の時計機構からの情報に基づいて記録開始日時情報、また記録終了時にはその記録時間長さ情報がルートディレクトリ１のタイトル管理ファイル１１に自動的に記録される。このとき記録される情報として、記録日、記録時刻、記録時間、記録モードの情報が、タイトル管理ファイル１１に格納される。また、各コンテンツは利用者が容易に判別できるようにタイトルを文字情報として入力することができる。タイトルは、ディジタル放送などの付帯情報ＥＰＧ（Ｅｌｅｃｔｒｉｃ　Ｐｒｏｇｒａｍ　Ｇｕｉｄｅ）のデコードデータを自動的に記述することもできる。また、タイトル管理ファイル１１は、複数枚のディスク記憶媒体を一つのカートリッジに格納して管理を行う場合、カートリッジ内のディスク記憶媒体の枚数、各ディスク記憶媒体を識別する識別ＩＤ等が格納される。
【００７３】
また、ルートディレクトリ１のサムネイルファイル１２には、コンテンツの記録開始時に自動的に最初の画像がサムネイル画像として記録されるが、コンテンツ記録後に利用者が任意の画像と入れ替えることも可能である。
【００７４】
ビデオファイルディレクトリ３には、映像コンテンツを記録するときに、画像データはＭＰＥＧ２圧縮符号化を、音声データはＭＰＥＧ音声符号化を行い、ＧＯＰ単位のストリームとしてＭＶＦファイル３１に、ＥＣＣブロック単位で区切りながら記録される。ここで、ＧＯＰ内のストリームは、圧縮画像データ、圧縮音声データの順で並んでいる。また、ＥＣＣブロックのサイズは３２ＫＢ程度が一般的であるが、それ以外の単位でも効果は変わらない。
【００７５】
このとき、ＭＶＦファイル３１をＧＯＰ単位で管理するＭＡＰファイル３２は、ＭＶＦファイル３１に基づいてＧＯＰ単位に、対象ＧＯＰのＭＶＦファイル先頭位置からのＥＣＣブロックアドレス、対象ＧＯＰのＥＣＣブロック数、対象ＧＯＰ内のＩ−Ｐｉｃｔｕｒｅ　のＥＣＣブロック数、対象ＧＯＰ内の開始フレーム位置および終了フレーム位置、音声情報として、圧縮音声データの対象ＧＯＰのＥＣＣブロックアドレスからのオフセットアドレス、対象ＧＯＰ内の圧縮音声データのＥＣＣブロック数がファイル管理ディレクトリ２に記録される。
【００７６】
ここで、圧縮音声データのＥＣＣブロックオフセットアドレスは、ＭＶＦファイル先頭位置からのアドレスでも同じ機能を有するが、記憶に必要なメモリ量がオフセットアドレス時より大きくなる。
【００７７】
記録動作が終了すると、生成されたＭＡＰファイル３１と同じ内容のＰＰＣファイル２１が管理ファイルディレクトリ２に生成される。これは、ＭＡＰファイルが編集、消去を行うためのＭＶＦファイルの管理を行うために存在するのに対し、ＰＰＣファイルはコンテンツ記録後、ユーザが任意の位置にサムネイルを利用して目次を作成したり編集することができるためである。編集作業について後に述べる。
【００７８】
図８は記録動作を示すフローチャートである。操作部４７からの記録指示入力にしたがって、記録動作がスタートする。まず、コンテンツ開始時の先頭画像の縮小画像がサムネイルデータとして生成され、メモリ部４６に記憶される。続いて、ビデオファイルディレクトリ３のＭＡＰファイル３２にＭＡＰヘッダデータが生成される。ＭＡＰヘッダデータは、ＭＶＦファイルがどのような条件で符号化を行ったかの情報が記録されている。ヘッダデータとしては、最大符号化レート、ＧＯＰ構造や、入力画像の水平／垂直解像度などである。画像データは、ＭＰＥＧ２画像符号化器４１を、音声データはＭＰＥＧ音声符号化器５３を用いて圧縮データを生成し、多重化器４８でＧＯＰ毎に圧縮画像データ、圧縮音声データの順にＥＣＣブロック単位でストリームを生成し、ＭＰＥＧデータとしてＭＶＦファイル３１に記録される。ＧＯＰ毎のＭＰＥＧデータ記録とともに、ＭＡＰデータの更新を行う。この動作は光ディスク５０に空き領域があれば、操作部４７から停止指示が入力されるまで行われる。光ディスク５０に空き領域がなくなるか、あるいは、操作部４７から停止指示が入力されると、ＭＡＰファイル３２の保存を行い、ＭＡＰファイル３２と同等の内容を持つＰＰＣファイル２１の保存を行う。また、記録開始時に生成されたサムネイルデータを用いてサムネイルファイル１２の更新／保存を行い、ラストプレイファイル１４に、記録したコンテンツ名と記録開始位置を保存し、最後に、タイトル管理ファイル１１の更新／保存が行われる。
【００７９】
次に記録されたコンテンツの再生動作を説明する。
【００８０】
本実施例では、１枚のディスク記憶媒体に複数の映像コンテンツが記録されるので、１枚の光ディスクにＭＶＦファイル＃１、ＭＶＦファイル＃２というように記憶されている。
【００８１】
再生装置に光ディスク（またはカートリッジ）を挿入後、利用者がコンテンツを選択し、再生指示を行うと、指定されたコンテンツに対応するＰＰＣファイル２１が管理ファイルディレクトリ２から、指定されたコンテンツに対応するサムネイルファイル２２が存在する場合、サムネイルファイル２２が管理ファイルディレクトリ２から読出されメモリ部４６に格納される。また、ＰＰＣファイル２１が参照するＭＶＦファイル３１に対応するＭＡＰファイル３２を読出しメモリ部４６に格納し、ＰＰＣファイル２１が指定するＧＯＰ再生順序にしたがって、ＧＯＰ情報の再構成を行い、ＧＯＰ情報にしたがいＭＶＦファイル３１のデータ読出しを行い、分離器４９で圧縮画像／音声データの分離を行い、圧縮画像データはＭＰＥＧ２画像復号化器４２、圧縮音声データはＭＰＥＧ音声復号化器５４を用いて復号化を行い出力する。ここで、利用者が編集操作により作成したサムネイルファイル２２が存在する場合、編集されたコンテンツの、サムネイルデータとサムネイルデータの指定するＧＯＰ位置を用いて、任意のＧＯＰ位置から再生開始を行うことが可能である。
【００８２】
また、ビデオテープなどのシーケンシャルメディアと同等の再生方法として、ＭＡＰファイル３２を記録日時順に並べ、ＧＯＰ情報をディスク内、あるいはカートリッジ内の全ディスクに対して並べ直しを行い、記録日時の古い順序で再生を行う。これにより、コンテンツの指定を行わなくても、利用者はディスク内の全コンテンツを順番に視聴することができる。
【００８３】
図９は再生動作を示すフローチャートである。操作部４７から、再生するコンテンツの選択を行い、再生指示入力にしたがって再生動作がスタートする。再生するコンテンツを選択する場合、ラストプレイファイル１４から読出された情報を用いて、利用者に前回再生終了位置を知らせたり、記録を行ったが再生処理を行っていないコンテンツの情報を知らせることができる。
【００８４】
再生動作が開始されると、選択されたコンテンツのＰＰＣファイル２１が、光ディスク５０の管理ファイルディレクトリ２から読出されメモリ部４６に展開される。また、ＰＰＣファイル２１が参照するＭＡＰファイル３２が読出され、ＰＰＣファイル２１の編集プログラムにしたがい、ＧＯＰ毎の参照ＭＶＦファイル名、ＥＣＣブロックアドレス、ＥＣＣブロック数、ＧＯＰ内Ｉ−Ｐｉｃｔｕｒｅ　のＥＣＣブロック数等前述した情報がメモリ部４６に展開される。この、ＧＯＰ情報にしたがい、光ディスク５０から圧縮データの読出しを行い、画像／音声データの復号を行いコンテンツを再生する。ここで、操作部４７から停止指示が入力されると、手動停止処理が実行され、ラストプレイファイル１４が更新される。また、操作部４７からの停止指示が入力されないときでも、コンテンツが終了した場合には、プログラム停止処理が実行され、ラストプレイファイル１４が更新される。
【００８５】
前述したサムネイルファイル２２を用いた任意のＧＯＰ位置からの再生処理の場合、ＭＡＰファイルを展開した後、指定されたＧＯＰ位置が指定したＥＣＣブロックアドレスにジャンプを行い、ＭＶＦファイル３１の読出再生処理を開始する。
【００８６】
次に記録されたコンテンツの編集における動作を説明する。
【００８７】
編集動作には、ＰＰＣファイル２１のＧＯＰ情報のみの編集方法と、ＭＶＦファイル３１の部分削除を行い、ＭＡＰファイル３２の情報を再構成するという、２種類の編集方法がある。
【００８８】
まず、ＰＰＣファイル２１のＧＯＰ情報のみの編集方法について述べる。
【００８９】
記録されたコンテンツのうち、利用者にとって不要な部分、例えばＣＭ部を飛ばして再生したいとき、この飛ばしたいフレーム位置を指定し、ＰＰＣファイル２１のＧＯＰ情報を変更することで、不要部分を飛ばした再生を行うことができる。つまり、ＰＰＣファイル２１内のＧＯＰ内の再生開始フレーム位置と再生停止フレーム位置情報の書き換えを行い、これらの開始／停止フレーム位置情報を用いて、ＭＰＥＧ画像符号化器が圧縮された画像データを復号する際、表示器４４に、復号画像データを出力するか否かの指示を行う。
【００９０】
このとき、編集操作は、編集したいコンテンツの再生をしていき、例えば、カットしたい画像が始まったとき、カットを指示する操作キーを操作し、再生したい画像が始まったときに、カットの終了を指示する。この指示入力により、ＰＰＣファイル２１から不要部分が削除されＧＯＰ位置情報が変更になる。
【００９１】
また、結合する場合には、結合したいＭＶＦファイルの再生停止フレーム位置と、もう一方のＭＶＦファイルの再生開始フレーム位置を指定し、ＰＰＣファイル内のＧＯＰ情報を再構成することにより、実際の画像データの結合を行うことなく、連続的に画像データを再生することができる。
【００９２】
例として、ＣＭカットの例について図１０、図１１、図１２を用いて説明する。図１０に示すＭＶＦファイル３１に対してＣＭ部のカットを行う例を説明する。ＰＰＣファイル２１には図１１に示すように、それぞれ、ＭＶＦファイルの開始位置からのＥＣＣブロックアドレス、ＧＯＰのＥＣＣブロック数、ＧＯＰ内のＩ−Ｐｉｃｔｕｒｅ　のＥＣＣブロック数、ＧＯＰ内の開始フレーム位置、終了フレーム位置、圧縮音声データのＥＣＣブロックアドレス、圧縮音声データのＥＣＣブロック数がＧＯＰ情報として記憶されており、例えば、第１０ＧＯＰは、２９２ＥＣＣブロック目から、１３ＥＣＣブロックで構成され、Ｉ−Ｐｉｃｔｕｒｅ　はそのうち、３ＥＣＣブロックで構成され、第１フレームから第１５フレームまでの再生を行う。また、音声データはオフセットアドレスが１２であるため、実際のＭＶＦファイル上のＥＣＣブロックアドレスは、２９２＋１２＝３０４ＥＣＣブロック目から１ＥＣＣブロックで構成されている。
【００９３】
図１１および図１２に示すように、第１０ＧＯＰの第５フレームから第３５ＧＯＰの第１２フレームまでのＣＭを削除する場合、ＰＰＣファイル２１の第１０ＧＯＰの終了フレーム位置を１５から４に変更し、第１１ＧＯＰから第３４ＧＯＰまでの情報を削除し、第３５ＧＯＰの開始フレーム位置を１から１３に変更する。このＰＰＣファイル２１の変更により、ＭＰＥＧ２画像復号化器４２は、第１０ＧＯＰの再生を開始後、第１フレームから第４フレームまで表示器４４に出力を行った後、第３５フレームの第１３フレームから表示器４４に再生画像を出力する。
【００９４】
画像音声データの編集のうち画像部分の消去は、ＧＯＰ単位の消去とフレーム単位の消去とがある。ＧＯＰ単位の消去は、ＧＯＰが例えば１５フレーム単位で構成されている場合、１５フレーム単位での画像音声データの消去が可能であり、ＧＯＰ単位でＭＶＦファイル３１を消去する。フレーム単位で消去を行う場合、ＭＶＦファイル３１はＭＰＥＧ２画像符号化方式により生成された画像データが格納されているため、１フレーム単位での単純な画像データの消去はできないので、ＭＡＰファイルの開始フレーム位置と終了フレーム位置情報を書き換えることで消去と同等の機能を実現する。図１３は、ＧＯＰの構成例を示したもので、フレーム内符号化画像のＩ−Ｐｉｃｔｕｒｅ　がＩ、前方向予測画像のＰ−Ｐｉｃｔｕｒｅ　がＰ、両方向予測画像のＢ−Ｐｉｃｔｕｒｅ　がＢで表されており、それぞれ、ＧＯＰ内のフレーム番号が添え字で表されている（例えばＰ４は、ＧＯＰ内第４フレームのＰ−Ｐｉｃｔｕｒｅ　を意味する）。このＧＯＰの９番目から１２番目のフレームを削除しようとすると、Ｂ７とＰ１２が再生を行うためにＰ１０を必要とするため、削除することができないので、ＭＶＦデータから編集対象フレームを消去する場合、対象ＧＯＰを再生し、再符号化を行わなければならないため、処理が複雑になる。本実施例では、フレーム単位での消去は、実際のデータ削除は行わず、ＭＡＰファイル上で、再生開始フレーム位置と終了フレーム位置を指示し、再生時に不必要なフレームは表示を行わないようＭＰＥＧ２画像復号化器を動作させることで、利用者はフレーム単位で削除したコンテンツと同等の内容を視聴することができる。
【００９５】
次にＭＶＦ相関管理ファイル（ＬＮＫファイル）１３を用いる場合について説明する。ＬＮＫファイル１３は、ＭＶＦファイル３１の全体消去や部分消去を含む編集作業を行うとき、消去対象のＭＶＦファイル３１を参照しているＰＰＣファイル２１の競合管理をするためのものである。ＬＮＫファイル１３の構造としては、あるＭＶＦファイル名に対応するＰＰＣファイル名とＭＶＦの参照しているＧＯＰ位置が格納されている。ここで、競合管理を単純化するため、ＭＶＦファイル名に対応するＰＰＣファイル名のみでも競合管理を行うことはできる。
【００９６】
例えば、あるＭＶＦファイル３１が２つのＰＰＣファイル２１で参照されている場合、一方のＰＰＣファイル２１を用いてＭＶＦファイル３１の削除を行おうとすると、ＬＮＦファイル１３を参照することにより、当該ＭＶＦファイル３１をもう一つのＰＰＣファイル２１が参照していることが分かる。このため、ＭＶＦファイルの削除を行うと、もう一つのＰＰＣファイルに不整合が発生する。これを回避するためには、利用者が手動でＭＶＦファイルの競合を解決する方法と、記録編集装置が自動的に解決する方法がある。
【００９７】
利用者が手動で、競合を解決する場合、ＭＶＦファイル３１の削除をすることができない旨を利用者に表示し、利用者が、もう一つのＰＰＣファイルから当該ＭＶＦファイルの参照部分を削除することにより、編集対象となっているＭＶＦファイル３１の削除、結合を可能とする。
【００９８】
記録編集装置が、ＬＮＦファイルから、編集対象となっているＭＶＦファイルを参照しているＰＰＣファイルが存在する場合、利用者に別のＰＰＣファイルが編集対象のＭＶＦファイルを参照している旨を知らせる。利用者が、編集動作を継続し、ＭＶＦファイルを部分的に消去した場合、編集前のＭＶＦファイルを参照していたＰＰＣファイルは、利用者が意図する内容と異なる画像フレームを参照している。そのため、参照しているＧＯＰデータがＭＶＦファイルに存在しない場合、ＰＰＣファイルから対象ＧＯＰ領域の削除を行い、参照しているＧＯＰデータは存在するが、ＧＯＰ番号に変更がある場合、すなわち、削除されたＧＯＰより後ろのＧＯＰアドレスを参照している場合、編集された情報に基づいて、参照ＧＯＰアドレス番号を振り直すことで、競合を回避する。
【００９９】
また、カートリッジにおいてはカートリッジ内の各ディスク記憶媒体にＰＰＣファイル２１が存在するため、編集動作時に、競合管理を行うため、全ディスクのＰＰＣファイル２１の競合検査を行う必要があるため、高速な編集動作が難しくなるのに対し、ＬＮＫファイル１３を用いることで、ディスクあるいはカートリッジ内に記録された多数のコンテンツの競合管理を行うことができるため、高速かつ安全に編集作業を行うことができる。
【０１００】
図１４は、ＭＶＦファイルのＧＯＰ単位の消去の例を示したものである。ＭＶＦファイルの第１０ＧＯＰから第２４ＧＯＰを削除して、Ａ１で示される画像データ部と、Ａ２で示される画像データ部とを、編集操作により加工することを示している。このとき、ＰＰＣファイル＃２が編集動作前のＭＶＦファイルの第５５ＧＯＰから第５９ＧＯＰを参照しているとすると、編集動作後は、第１０ＧＯＰから第２４ＧＯＰまでの領域が削除されるため、ＰＰＣファイル＃２が本来参照しているＭＶＦファイルのＧＯＰ位置は第４０ＧＯＰからになる。
【０１０１】
自動的に、競合回避を行う記録編集機器では、ＰＰＣファイル＃２が参照しているＭＶＦファイル位置が削除された領域より後ろであるため、元の参照アドレス５５と、削除されたＧＯＰ領域が１５ＧＯＰであることにより、参照開始ＧＯＰアドレスが５５から４０になる。また、参照終了ＧＯＰも同様にして、５９から４４ＧＯＰとなる。
【０１０２】
このように、領域削除を含む編集動作を行う場合、その編集対象のＭＶＦファイルを参照しているＰＰＣファイルが存在すると、参照しているＧＯＰ位置がずれるという問題があるため、ＬＮＫファイルを用いて、論理的な番号のずれが発生しないよう管理することができる。
【０１０３】
図１５は編集動作を示すフローチャートである。操作部４７からの編集指示入力にしたがって、編集動作が開始する。編集を希望するコンテンツが選択されると、対応するＰＰＣファイル２１とＭＡＰファイル３２が光ディスク５０から光ディスク装置４０を介してメモリ部４６に読み込まれ、再生動作が始まる。
【０１０４】
ここで、利用者が編集ポイントに挿入したい画像データあるいは音声データの位置で、これを選択してカットインを行う。カットインを行った後の開始ＧＯＰ位置を抽出し、カットインを行った後のサムネイル画像を、再生画像から生成する。さらに、利用者が、編集ポイントから削除したい画像データおよびまたは音声データがあればこれを選択してカットアウトを行う。このようにカットイン、カットアウトを行った後の終了ＧＯＰ位置を抽出する。抽出された開始ＧＯＰ、終了ＧＯＰ位置によりＰＰＣファイル２１を新たに作成または更新する。他にも編集を希望する編集ポイントがある場合、同様に編集を行う。これらの編集結果を保存する場合には、ＭＡＰファイル３２を更新し、ＰＰＣファイル２１およびサムネイルファイル２２を作成または更新して光ディスク５０に保存し、タイトル管理ファイル１１、ＬＮＫファイル１３を更新して光ディスク５０に保存する。
【０１０５】
【発明の効果】
以上説明したように、本発明によれば、複数のコンテンツ（コンテンツ）を一枚のディスク記憶媒体に記録するときのコンテンツ管理ができ、ユーザが扱い易いディスク記憶媒体およびこれを使用する記録再生装置を提供できる。
【０１０６】
また、一つのカートリッジに複数枚のディスク記憶媒体が格納されたものを利用する場合にも複数枚のディスク記憶媒体に記録されたコンテンツを一括して管理することができる。
【０１０７】
また、記録されたコンテンツの編集作業も、記録された画像およびまたは音声データが格納されるファイル内のデータの位置情報を管理するプログラム管理ファイルに基づいて、編集作業を行うことができ、編集作業が容易である。また、編集に際してデータの削除が競合する場合が生じたときは、データを参照するプログラム管理ファイルの相関関係を記述するＭＶＦ相関管理ファイル（ＬＮＫファイル）をファイル管理情報内に設けてあるので、この相関関係を記述するＭＶＦ相関管理ファイルを参照することにより他のプログラム管理ファイルが参照しているデータを誤って消去してしまうようなことを防ぐことができる。
【０１０８】
また、管理情報としてしおり機能が付加されているので、前回視聴したところから視聴を開始することができる。
【図面の簡単な説明】
【図１】本発明の管理ファイルおよびデータのファイルの関係を示す図。
【図２】ルートディレクトリの構成を示す図。
【図３】管理ファイルディレクトリの構成を示す図。
【図４】ビデオファイルの構成を示す図。
【図５】複数枚のディスク記憶媒体に連続して複数のコンテンツを記録したときのファイルの関係を示す図。
【図６】ディスク記録再生装置の構造の一例を示す図。
【図７】本発明の記録再生装置の全体的な動作を示すフローチャート。
【図８】記録動作を示すフローチャート。
【図９】再生動作を示すフローチャート。
【図１０】編集動作を示すフローチャート。
【図１１】ＭＶＦファイルに変更を加えない編集動作の一例を示す図。
【図１２】編集動作前のＰＰＣファイルのＧＯＰ情報の一例を示す図。
【図１３】編集動作後のＰＰＣファイルのＧＯＰ情報の一例を示す図。
【図１４】ＭＶＦファイルに変更を加える編集動作の一例を示す図。
【図１５】ＧＯＰ内のフレーム削除を行う一例を示す図。
【図１６】圧縮データのデータ配置の一例を示す図。
【図１７】本発明の圧縮データのデータ配置の一例を示す図。
【符号の説明】
１　ルートディレクトリ
２　管理ファイルディレクトリ
３　ビデオファイルディレクトリ
１１　タイトル管理ファイル
１２、２２　サムネイルファイル
１３　ＭＶＦ相関管理ファイル
１４　ラストプレイファイル
２１　プログラム管理ファイル
３１　ＭＶＦファイル
３２　ＭＡＰファイル
４０　光ディスク装置
４１　ＭＰＥＧ２画像符号化器
４２　ＭＰＥＧ２画像復号化器
４３　音声出力装置
４４　表示器
４５　制御部
４６　メモリ部
４７　操作部
４８　多重化器
４９　分離器
５０　光ディスク
５１　ディスクドライブＩ／Ｆ
５２　アナログ入力Ｉ／Ｆ
５３　ＭＰＥＧ音声符号化器
５４　ＭＰＥＧ音声復号化器
５５　アナログ出力Ｉ／Ｆ
【図１】
2004047064.tif 000003
【図２】
2004047064.tif 000004
【図３】
2004047064.tif 000005
【図４】
2004047064.tif 000006
【図５】
2004047064.tif 000007
【図６】
2004047064.tif 000008
【図７】
2004047064.tif 000009
【図８】
2004047064.tif 000010
【図９】
2004047064.tif 000011
【図１０】
2004047064.tif 000012
【図１１】
2004047064.tif 000013
【図１２】
2004047064.tif 000014
【図１３】
2004047064.tif 000015
【図１４】
2004047064.tif 000016
【図１５】
2004047064.tif 000017
【図１６】
2004047064.tif 000018
【図１７】
2004047064.tif 000019